【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
フレームと、
振動方向にほぼ垂直な面を有する振動板を有し、振動可能に前記フレームに支持された振動体と、
開口を有し、前記フレームを支持するとともに内部に気体が含まれた筐体と、
前記振動体を駆動して前記気体に振動を与えることで、前記開口を介して前記気体を脈流として吐出させるための駆動部と
を具備することを特徴とする噴流発生装置。
【請求項２】
請求項１に記載の噴流発生装置であって、
前記振動体は、前記振動板に設けられた側板を有することを特徴とする噴流発生装置。
【請求項３】
請求項１に記載の噴流発生装置であって、
前記筐体の一部は、前記フレームで構成されることを特徴とする噴流発生装置。
【請求項４】
請求項３に記載の噴流発生装置であって、
前記フレームは金属でなることを特徴とする噴流発生装置。
【請求項５】
請求項１に記載の噴流発生装置であって、
前記筐体は、樹脂、ゴム、金属、磁性材料またはセラミックスでなることを特徴とする噴流発生装置。
【請求項６】
請求項１に記載の振動装置であって、
前記筐体は、前記振動板の前記面とほぼ平行であって、当該面と相似形の面を有することを特徴とする噴流発生装置。
【請求項７】
請求項１に記載の噴流発生装置であって、
前記駆動部は、
前記筐体に装着された端子台と、
コイルを有する電磁駆動を用いたアクチュエータと、
前記端子台と前記コイルとの間に接続された給電線と
を有することを特徴とする噴流発生装置。
【請求項８】
請求項１に記載の噴流発生装置であって、
前記フレームは、前記開口に対面する前記気体を流通させるための流通口を有することを特徴とする噴流発生装置。
【請求項９】
請求項１に記載の噴流発生装置であって、
前記筐体は、前記開口を少なくとも２つ有するとともに、前記振動板の前記振動方向の一側とその反対側で前記各開口にそれぞれ連通するように設けられた少なくとも２つのチャンバを内部に有することを特徴とする噴流発生装置。
【請求項１０】
請求項１に記載の噴流発生装置であって、
前記開口に連通する前記気体の流路を有し、前記筐体に装着されたノズル体をさらに具備することを特徴とする噴流発生装置。
【請求項１１】
請求項１に記載の噴流発生装置であって、
前記駆動部は、
電磁駆動を用いたアクチュエータと、
前記筐体に取り付けられ、前記アクチュエータを動かすための電気信号を生成する回路基板と
を有することを特徴とする噴流発生装置。
【請求項１２】
請求項１１に記載の噴流発生装置であって、
前記筐体は、前記面とは異なる角度の面を有し、
前記回路基板は、前記異なる角度の面に取り付けられていることを特徴とする噴流発生装置。
【請求項１３】
請求項１１に記載の噴流発生装置であって、
前記回路基板は、前記筐体の一部を構成することを特徴とする噴流発生装置。
【請求項１４】
請求項１に記載の噴流発生装置であって、
前記筐体は、
前記筐体内で前記振動体の振動方向に該振動体により分離され、前記気体が含まれる第１及び第２のチャンバと、
前記第１及び第２のチャンバのうち少なくとも一方側に配置された磁性体でなる板と
を有することを特徴とする噴流発生装置。
【請求項１５】
請求項１４に記載の噴流発生装置であって、
前記板は、金属でなり、前記筐体の一部を構成することを特徴とする噴流発生装置。
【請求項１６】
請求項１に記載の噴流発生装置であって、
前記筐体は、
作業用の開口と、
前記作業用の開口に装着された蓋と
を有することを特徴とする噴流発生装置。
【請求項１７】
請求項１に記載の噴流発生装置であって、
前記筐体は、その一部が可視光を透過する材料でなることを特徴とする噴流発生装置。
【請求項１８】
請求項１に記載の噴流発生装置であって、
前記噴流発生装置が電子機器に固定されるための固定機構をさらに具備することを特徴とする噴流発生装置。
【請求項１９】
請求項１に記載の噴流発生装置であって、
前記筐体は、第１の面と、第２の面と、前記第１の面と前記第２の面との間をつなぐ曲面とを有する外面を有することを特徴とする噴流発生装置。
【請求項２０】
請求項１に記載の噴流発生装置であって、
前記筐体は、前記開口を複数有するとともに、
前記各開口のうち第１の開口面を有する第１の開口と、
前記第１の開口面とは異なる角度の第２の開口面を有する第２の開口と
を有することを特徴とする噴流発生装置。
【請求項２１】
請求項２０に記載の噴流発生装置であって、
前記第１の開口面及び前記第２の開口面は、ほぼ直交するように配置されていることを特徴とする噴流発生装置。
【請求項２２】
請求項２０に記載の噴流発生装置であって、
前記第１の開口面及び前記第２の開口面は、ほぼ平行に配置されていることを特徴とする噴流発生装置。
【請求項２３】
すべてがほぼ同じ方向に振動する複数の振動体と、
複数の開口と、前記各振動体がそれぞれ配置されるとともに前記振動体の振動方向ほぼ垂直な面内で並ぶように配置され前記各開口にそれぞれ連通する複数のチャンバとを有し、前記各チャンバに気体が含まれた筐体と、
前記振動体を駆動して前記気体に振動を与えることで、前記各開口を介して前記気体を脈流として吐出させるための駆動部と
を具備することを特徴とする噴流発生装置。
【請求項２４】
請求項２３に記載の噴流発生装置であって、
前記各開口にそれぞれ連通する複数の前記気体の流路を有し、前記各流路を一体的に形成するノズル体をさらに具備することを特徴とする噴流発生装置。
【請求項２５】
請求項２３に記載の噴流発生装置であって、
前記筐体は、毛細管現象を用いて作動流体の相変化により熱を輸送する熱輸送デバイスが嵌め込まれる穴を有することを特徴とする噴流発生装置。
【請求項２６】
請求項２３に記載の噴流発生装置であって、
前記筐体は、毛細管現象を用いて作動流体の相変化により熱を輸送する熱輸送デバイスが当接する段差、溝、または凹部を有することを特徴とする噴流発生装置。
【請求項２７】
請求項２３に記載の噴流発生装置であって、
前記駆動部は、磁気回路を構成する磁気回路構成部材を有する電磁駆動を用いたアクチュエータを有し、
前記磁気回路構成部材は、前記筐体から前記振動方向へ該筐体の外部に突出するように設けられていることを特徴とする噴流発生装置。
【請求項２８】
振動方向にほぼ垂直な面を有する振動板を有する振動体と、
開口を有し、前記振動体を振動可能に支持するとともに内部に気体が含まれた筐体と、
前記振動体を駆動して前記気体に振動を与えることで、前記開口を介して前記気体を脈流として吐出させるための駆動部と
を具備することを特徴とする噴流発生装置。
【請求項２９】
請求項２８に記載の噴流発生装置であって、
前記振動体は、前記振動板に設けられた側板を有することを特徴とする噴流発生装置。
【請求項３０】
請求項２８に記載の噴流発生装置であって、
前記駆動部は、磁気回路を有する電磁駆動を用いたアクチュエータを有し、
前記筐体の少なくとも一部が、前記磁気回路を構成するための磁性体でなることを特徴とする噴流発生装置。
【請求項３１】
請求項１に記載の噴流発生装置であって、
前記駆動部は、
マグネットと、
前記気体を流通させるための流通口を有し、前記振動体に装着されるとともに前記マグネットを囲うように設けられたボビンと、
前記ボビンに巻回されたコイルと
を有することを特徴とする噴流発生装置。
【請求項３２】
発熱体と、
フレームと、振動方向にほぼ垂直な面を有する振動板を有し、振動可能に前記フレームに支持された振動体と、開口を有し、前記フレームを支持するとともに内部に気体が含まれた第１の筐体と、前記振動体を駆動して前記気体に振動を与えることで、前記開口を介して前記発熱体に向けて前記気体を脈流として吐出させるための駆動部とを有する噴流発生装置と、
前記発熱体と前記噴流発生装置を保持可能な第２の筐体と
を具備することを特徴とする電子機器。
【請求項３３】
請求項３２に記載の電子機器であって、
前記振動体は、前記振動板に設けられた側板を有することを特徴とする電子機器。
【請求項３４】
請求項３２に記載の電子機器であって、
前記第２の筐体の一部は、前記第１の筐体の一部で構成されることを特徴とする電子機器。
【請求項３５】
請求項３２に記載の電子機器であって、
前記第２の筐体は、前記開口を介して前記気体が吐出されるときに、外部の気体を導入する導入口を有することを特徴とする電子機器。
【請求項３６】
請求項３５に記載の電子機器であって、
前記第２の筐体は、
前記第１の筐体が載置され、前記開口付近に前記導入口が配置される底部を有することを特徴とする電子機器。
【請求項３７】
請求項３６に記載の電子機器であって、
前記第２の筐体の外部であって前記底部に設けられたスペーサをさらに具備することを特徴とする電子機器。
【請求項３８】
請求項３５に記載の電子機器であって、
前記第２の筐体は、
前記発熱体の、前記第１の筐体の前記開口が配置される反対側に配置され、前記導入口から導入されるとともに前記開口を介して吐出された気体と合成された気体を、前記発熱体を通過させて排出する排出口を有することを特徴とする電子機器。
【請求項３９】
請求項３２に記載の電子機器であって、
前記噴流発生装置を複数備えることを特徴とする電子機器。
【請求項４０】
請求項３９に記載の電子機器であって、
前記噴流発生装置は、前記各振動板の振動方向がほぼ揃うように、かつ、該振動方向にほぼ垂直な面内で並列されていることを特徴とする電子機器。
【請求項４１】
発熱体と、
振動方向にほぼ垂直な面を有する振動板を有する振動体と、開口を有し、前記振動体を振動可能に支持するとともに内部に気体が含まれた第１の筐体と、前記振動体を駆動して前記気体に振動を与えることで、前記開口を介して前記発熱体に向けて前記気体を脈流として吐出させるための駆動部とを有する噴流発生装置と、
前記発熱体と前記噴流発生装置とを保持可能な第２の筐体と
を具備することを特徴とする電子機器。
【請求項４２】
請求項３２に記載の電子機器であって、
前記駆動部は、
マグネットと、
前記気体を流通させるための流通口を有し、前記振動体に装着されるとともに前記マグネットを囲うように設けられたボビンと、
前記ボビンに巻回されたコイルと
を有することを特徴とする電子機器。
【請求項４３】
第１の発熱体と、
前記第１の発熱体に向けて第１の方向に第１の気体を脈流として吐出する第１の噴流発生器と、
第２の発熱体と、
前記第２の発熱体に向けて第１の方向とは異なる第２の方向に第２の気体を脈流として吐出する第２の噴流発生器と
を具備することを特徴とする電子機器。
【請求項４４】
請求項４３に記載の電子機器であって、
前記第１の方向と前記第２の方向とはほぼ９０度異なることを特徴とする電子機器。
【請求項４５】
請求項４４に記載の電子機器であって、
前記第１及び第２の発熱体は同じ構造を有することを特徴とする電子機器。
【請求項４６】
請求項４４に記載の電子機器であって、
前記第１及び第２の噴流発生器は同じ構造を有することを特徴とする電子機器。
【請求項４７】
請求項４４に記載の電子機器であって、
前記第１の方向における前記第１の発熱体の長さと、前記第１の方向における前記第１の噴流発生器の長さとを足した長さが、前記第２の噴流発生器の第１の方向における長さとほぼ等しいことを特徴とする電子機器。
【請求項４８】
筐体に含まれた気体を、前記筐体が有する開口を介して脈流として吐出させるために前記気体を振動させる振動装置の製造方法であって、
前記筐体に取り付けられるフレームを所定の位置に配置する工程と、
前記所定の位置に配置されたフレームと、前記気体を振動させる振動体を支持するための弾性支持部材とを一体成型する工程と
を具備することを特徴とする振動装置の製造方法。
【請求項４９】
請求項４８に記載の振動装置の製造方法であって、
前記振動体と前記弾性支持部材とを一体成型する工程をさらに具備することを特徴とする振動装置の製造方法。
【請求項５０】
筐体に含まれた気体を、前記筐体が有する開口を介して脈流として吐出させるために前記気体を振動させる振動装置の製造方法であって、
前記気体を振動させる振動体を所定の位置に配置する工程と、
前記所定の位置に配置された振動体と、前記振動体を支持するための弾性支持部材とを一体成型する工程と
を具備することを特徴とする振動装置の製造方法。